Podtech/llm-jp-corpus-v4-ja_patent huggingface dataset:
(57)【要約】      （修正有）【課題】庭園の低雑草を刈るに、長柄棒を持つ事で除草が出来る故に腰痛を患う事をなくす長柄草刈具を提供する。【解決手段】半円形状の等厚の鋼材から、低辺に大刃を設け、両端に大刃１よりも突出した平坦部を構成すると共に上面の半円形状処に小刃３を形成してなる。草刈り部４の中央に長柄棒５を固着してなる。長柄棒を持って雑草に対し、大刃を当て嵌めて前後に動作し、切り取る。また目地等の小雑草は長柄棒を持ち、小刃を当て擦る事により取り除く事が出来る。【選択図】図２
0003167373.tif 000002
【実用新案登録請求の範囲】
【請求項１】
低辺に大刃を形成し、その両端に大刃よりも突出した平坦部を構成し、上面に半円形状の小刃を形成してなる草削り部の中央に長柄棒を固着してなる長柄草削り。
【考案の詳細な説明】
【技術分野】
【０００１】  本考案は、庭園に於いて、低雑草を刈る事を目的とする。これは、芝生を傷める事を無くして雑草のみを取り去るも、その土弄りは、周辺を痛めない。又、塀下の隙間および石畳石段等の目地の小雑草を切断して取り去る。
【背景技術】
【０００２】  前記載これは長柄の草削りゆえに、長柄棒を持ち雑草に当て嵌めて柄を回転すれば雑草を切り取れる。
【考案の概要】
【考案が解決しようとする課題】
【０００３】  石畳石段等の目地の小雑草を取り除くに腰を屈めて作業をする。これには、鋸、鍬を用いていた。しかし老年令になると腰痛を患う事が必然であったがゆえに、正常な立ち姿勢で作業をする事は大変であった。および庭園の芝生を傷める事を無くして雑草を刈り取るに、雑草周囲の土を混ぜる事なく、その茎および葉を取り去る事を目的とするものである。【０００４】  本考案は、草削り部の下方に雑草を切る為の大刃を横並びに多数設置なし、且つ両側に大刃よりも突出なる平坦部を有する。なお、上面を円形状に形成し、小刃と成す。草刈り部の中央に長柄棒の一端を溶接または、かしめて固着する。
【考案の効果】
【０００５】  上述の様に、本考案長柄草削りは、長柄棒を持って雑草に対し、大刃を当て嵌めて前後に動作し、切り取る。また目地等の小雑草は長柄棒を持ち、小刃を当て擦る事により取り除く事が出来る。
【図面の簡単な説明】
【０００６】
【図１】本考案長柄草刈りの要部平面図。
【図２】長柄草刈りの全体図で大刃・小刃を一点鎖線で表わすも、これに長柄棒を固着した図である。
【考案を実施するための形態】
【０００７】  長柄棒を持ち、大刃を雑草に当て擦りなして除去する。石段の目地雑草に於いては、小刃を当て擦る事により除去する。
【実施例】
【０００８】  以下、添付図面に従って一実施を説明する。巾１２ｃｍ位の半円形状を有する等厚の鋼材から低辺に大刃１を形成し、その両端に大刃よりも突出した平坦部２１・２２を構成する。上面の半円形状に小刃３を形成してなる草削り部４に長さ１ｍ位の長柄棒５を溶接または、かしめ固定してなる長柄草削りである。【０００９】  本考案の一実施例は上述の如き構成なるものであるから、長柄棒を持ち、立ち姿勢で雑草の除去をする事が出来る。
【符号の説明】  １  大刃
２  平坦部
３  小刃
４  草削り部
５  長柄棒
【図１】
0003167373.tif 000003
【図２】
0003167373.tif 000004
(57)【要約】      （修正有）【課題】農作物の害虫による被害を防止するネット及びＶ字型針を提供する。【解決手段】網目４ミリ程のネットに、Ｖ字型の針を鋭角に曲げて粘着テープで固定し、農作物の幹などに巻いて害虫の侵入を防止する。パパイヤなどの農作物の幹にネットピンを針が、外側下向けになるように巻いて、固定し、地面から這い上がって来る害虫の侵入を防止する。【選択図】図１
0003167371.tif 000002
【実用新案登録請求の範囲】
【請求項１】
網目４ミリ程度の折り曲げ可能な、ネットにＶ字型の針を刺し込んで、鋭角に曲げて粘着テープで固定して連結させたネットピン
【考案の詳細な説明】
【技術分野】
【０００１】  本考案は、折り曲げ可能なネット及びＶ字型針に関する物である。
【背景技術】
【０００２】    網目４ミリ程度のネットに２０ミリ程のＶ字型針を差し込み３分の１程鋭角に曲げて粘着テープで固定する。
【考案が解決しようとする課題】
【０００３】  ネットに固定した鋭い針で、カタツムリ、ナメクジ、アフリカマイマイ、などの害虫の侵入を防止するものである。
【課題を解決しようとする手段】
【０００４】    折り曲げ可能な、ネットピンを農作物の幹などに巻いて、鋭角に曲げた針を害虫の侵入経度に向けて固定して使用する。
【考案の効果】
【０００５】    農薬を使わず、害虫の侵入を防止する。
【図面の簡単な説明】
【０００６】
【図１】  本考案の、ネットにピンを固定した、正面図である。
【図２】  本考案の、側面図である。
【考案を実施するための形態】
【０００７】    パパイヤなどの農作物の幹にネットピンを針が、外側下向けになるよに巻いて、固定し、地面から這い上がって来る害虫の侵入を防止する。
【符号の説明】
【０００８】    １  ネット
２  Ｖ字型針
３  粘着テープ
【図１】
0003167371.tif 000003
【図２】
0003167371.tif 000004
(57)【要約】      （修正有）【課題】中腰にならずに、土塊及び小石を挟み込む事が少なく雑草を切る事が出来る草刈り鋏を提供する。【解決手段】刃体部後方に、柄本体を上方向に角度を設けて固着し、回動自在の中子の下に脚を設け、足板を連設する。【選択図】図１
0003167372.tif 000002
【実用新案登録請求の範囲】
【請求項１】
刃体部後方に、柄本体を上方向に角度を設けて固着し、回動自在の中子の下に脚を設け、足板を連設する事を特徴とした草刈り鋏。
【考案の詳細な説明】
【技術分野】
【０００１】  本考案は、庭草、庭木とくに低雑草を根の茎の処で切断する事を目的とするも、たとえば老人が中腰にならずに済み、腰痛を防ぐ事を目的とする鋏に関するものである。
【背景技術】
【０００２】  現在使用されている刈り込み鋏は雑草を根切するに土塊及び小石を切断時に、挟み込む事が多々あった。
【先行技術文献】
【特許文献】
【０００３】
【特許文献１】特開平８−１５４４９１公報
【物許文献２】
実開昭６２−８９９４９公報
【考案の概要】
【考案が解決しようとする課題】
【０００４】  公知の刈り込み鋏は老年令人にとっては、中腰になる必要があった。これは、腰痛の原因となっていた。また土塊と小石を刃先で噛み、必然的に刃体部を傷めるが故に、この欠点を解決しようとするものである。
【課題を解決するための手段】
【０００５】  本考案は刃体部後方に長さ１ｍ位の柄本体を上方向に角度を設けて固着してなる。且つ止軸の下端を延長して脚を構成し、足板を連設してなる。
【考案の効果】
【０００６】  上述の様に本考案草刈り鋏は不要な雑草を刈り取るにその茎の部分を素早く楽に切り取る事が出来る。
【図面の簡単な説明】
【０００７】
【図１】本考案の草刈り鋏の実施例を示す全体の斜視図である。
【図２】本草刈り鋏の側面図である。
【図３】本草刈り鋏の要部拡大側面図である。
【考案を実施するための形態】
【０００８】  切断しようとする雑草の手前に本考案草刈り鋏を第２図の様に設置する。次に第１図の様に柄本体１を開くと同時に連設する切刃２１−２２を開口し、雑草を挟み込み次に閉て切断する。前記これは、公知の剪定鋏の様に切刃２１−２２の支点を回動自在してなる。尚、支点の嵌押し、かしめ３てなる中子４の両端の下端に脚５を設け且つ足板６を連設する。
【実施例】
【０００９】  以下、添付図面に従って一実施を説明する。公知の剪定鋏の様に切刃を有する。回動自在の中子を有し、これに長さ約１ｍの柄本体を上方向に取り付けてなる。【００１０】  中子の下端に長さ２５ｍｍを最良とする脚を設け、巾２０ｍｍ位の肉厚を有する足板を連設する。
【符号の説明】
【００１１】１  柄本体
２  切刃
３  かしめ
４  中子
５  脚
６  足板
【図１】
0003167372.tif 000003
【図２】
0003167372.tif 000004
【図３】
0003167372.tif 000005
(57)【要約】      （修正有）【課題】普段は公道で使用できる純正の自動車用リアスポイラーであり、サーキットでは強力なダウンフォースを得ることができる自動車用リアスポイラーを提供する。【解決手段】フラップ角度調節式リアスポイラーのフラップ部分がボルト等で固定されている。フラップ角度調整式リアスポイラーのフラップ部分をＧＴウィング等に交換できる。【選択図】図１
0003167378.tif 000002
【実用新案登録請求の範囲】
【請求項１】
フラップ角度調整式リアスポイラーのフラップ部分はボルト等で固定されているので、このフラップ部分を取り外しＧＴウィング等に交換できる機能を備えることを特徴とする自動車用リアスポイラー構造。
【考案の詳細な説明】
【技術分野】
【０００１】  本考案は自動車用リアスポイラー構造に関し、特に公道でもサーキットでもマイカー運転を楽しむ方が愛用し、しいては違法改造の撲滅および道路交通法に基づいたエアロパーツの拡販に資する自動車用リアスポイラー構造に係わる。
【背景技術】
【０００２】  従来から自動車用のリアスポイラーの主目的は、見た目のかっこ良さのみならず、機能面でもダウンフォースを得られるなど走行性能にも一躍買っているため、その構造は重要になってきている。【０００３】  例えば、自動車ディーラーでもフラップ角度が調整可能なリアスポイラーをスポーツカー向けに標準装備するなどしている。【０００４】  また、より多くのダウンフォースを得るために競技車両専用向けにＧＴウィングも販売されているが、公道での使用は禁止されている。
【先行技術文献】
【非特許文献】
【０００５】
【非特許文献１】フラップ角度調整式リアスポイラー
【非特許文献２】ＧＴウィング
【考案の概要】
【考案が解決しようとする課題】
【０００６】  しかしながら、非特許文献１記載のリアスポイラーでは、公道での使用は認められているため彼女からの批判はないが、サーキット走行で求められる高速コーナーでの強力なダウンフォースは得られない。【０００７】  また、非特許文献２記載のＧＴウィングではそもそも公道で使用できないため彼女の理解を得るのは難しく、サーキットでのみ使用したいが簡単に脱着できるものではなく不便である。【０００８】  本考案は、公道で使用できるリアスポイラーでありながら、サーキット走行での強力なダウンフォースも得られる自動車用リアスポイラーを提供することを目的とする。【０００９】  本考案によれば、普段は純正の自動車用リアスポイラーの状態としておくことで、彼女の機嫌を損ねることなくドライブを楽しむことができる。そして、いざサーキットへ乗り込んだ際には、フラップ部分のみをＧＴウィングに交換することにより強力なダウンフォースを得ることができるようになる。
【課題を解決するための手段】
【００１０】  本考案の自動車用リアスポイラー構造は、フラップ角度調整式リアスポイラーのフラップ部分をＧＴウィング等に交換できるようにしたものである。
【考案の効果】
【００１１】  フラップ角度調整式リアスポイラーのフラップ部分をＧＴウィング等に交換できるようにすることで、商品の付加価値を高め、販売促進につなげる。
【図面の簡単な説明】
【００１２】
【図１】（ａ）は、フラップ角度調整式リアスポイラーの正面図である。（ｂ）は、フラップ角度調整式リアスポイラーのフラップ部分を、ＧＴウィングに交換した状態の正面図である。
【考案を実施するための形態】
【・・・・】
【実施例】
【・・・・】
【産業上の利用可能性】
【・・・・】
【符号の説明】
【・・・・】
【図１】
0003167378.tif 000003
(57)【要約】      （修正有）【課題】電気ヒーター部に常時通電し加熱状態を保つ必要がない直熱式半田コテ装置を提供する。【解決手段】先端を鋭利にした金属のＶ字型又は、Ｕ字型又は凸型の半田コテ先兼ヒーターを備え、その両端に電流導入端子を備え、コテ先に電流を流す事により、コテ先が直接発熱する。【選択図】図２
0003167377.tif 000002
【実用新案登録請求の範囲】
【請求項１】
先端を鋭利にした金属のＶ字型又は、Ｕ字型又は凸型の半田コテ先兼ヒーターを備え、その両端に電流導入端子を備え、コテ先に電流を流す事により、コテ先が直接発熱する構造を持った直熱式半田コテ装置。
【考案の詳細な説明】
【技術分野】
【０００１】  本考案は、半田コテの構造に関するものである。
【背景技術】
【０００２】  従来の半田付けを行う半田コテは、半田に接触させ溶解する内部が空洞になった円錐形のコテ先部と、コテ先部を加熱するための電気ヒーター部が設けられ、コテ先部の空洞部分に電気ヒーター部が挿入され、電気ヒーター部が加熱するとコテ先部に熱伝導され、コテ先部の加熱で半田の溶解が可能となる間接加熱の構造になっている。
コテ先部と電気ヒーター部が独立した構造に成っているのは、コテ先部の酸化等による消耗が発生し電気ヒーター部より寿命が短く、コテ先部のみの交換を容易に可能にするためと、電気ヒーター部に印加されている電圧が、コテ先部に印加されない構造の必要があり電気ヒーター部を独立させ絶縁を施し、熱のみがコテ先部に熱伝導する構造が必要のため、間接加熱構造を取り入れている。
【先行技術文献】
【特許文献】
【０００３】
【特許文献１】  特許公開２０１０−１２４７２
【特許文献２】
【非特許文献】
【０００４】
【非特許文献１】
【非特許文献２】
【考案の概要】
【考案が解決しようとする課題】
【０００５】  従来の半田コテの場合、コテ先部と電気ヒーター部にて構成され、絶縁された電気ヒーター部の熱をコテ先部へ熱伝導する間接加熱を用いて加熱を行う構造であった。
このため、コテ先部の温度は、電気ヒーター部が加熱後に、徐々にコテ先部に熱伝導されるため、半田コテに電源を投入後、コテ先が半田溶解温度に達するまでの時間を必要とする課題が有った。
コテ先部は常時大気にて冷却されているため、電気ヒーター部に常時通電し加熱状態を保つ必要があり、温度保持のために常時エネルギーを消費しエネルギー効率が悪い課題が有った。
コテ先は大気中で常時加熱されているためコテ先の酸化で消耗し、コテ先の寿命が短くなる課題が有った。
【課題を解決するための手段】
【０００６】  請求項目１での本考案は、金属で作成した左右に分割されたコテ先部を、Ｖ字型、Ｕ字型又は凸型にし、コテ先の先端部分のみ接合し、両端に電圧を印加することで、先端部分に電流が流れ直接発熱する構造のコテ先を持つ半田コテである。
先端の接合部分は半田付けを行うため、鋭利な形状であるため断面積が狭く電気抵抗が大きいため発熱量も大きく、コテ先自身を瞬時に発熱をさせることが可能である。
また、コテ先が金属で電気抵抗が少ないため低電圧でも大電流を流すことで発熱し、コテ先の絶縁が必要としない。
瞬時に加熱可能であることから、常時加熱状態を維持する必要が無く、半田付けを行う時のみ通電するため、省エネルギーでの半田付けが可能で、高温の時間が短いためコテ先の酸化での消耗も防止できる。
以下、添付図面１を用いて説明する。添付図面１は、鉛筆型の直接加熱コテ先部の図面の一例である。金属で作成した、左右に分割され先端で接合された円錐形のコテ先部▲１▼に分割れた両端に電気を印加するための電線▲２▼を銀ロー付け▲５▼を行い、電線より電圧を印加することで、電流が流れ先端の接合部が発熱する、先端部分に銅チップ▲３▼を設ける事で、半田に対する濡れ性を確保し、先端部に温度センサー▲４▼を設け印加する電力制御により先端の温度制御を行う事を構造とした半田付け装置。
【考案の効果】
【０００７】  本考案では、半田付け作業で課題となっていた、半田コテの加熱状態維持のための常時通電が必要なくなり電力消費の削減による生産コストダウン及び、加熱状態維持のため発生するコテ先の酸化での消耗によるコテ先の交換作業工程及びコテ先交換のコストダウンが可能である。
【図面の簡単な説明】
【０００８】
【図１】直熱式半田コテ先部
【図２】全体図
【図３】実施例
【考案を実施するための形態】
【０００９】  以下、添付図面２を用いて説明する。左右に分割され先端部で接合された円錐形のコテ先部▲１▼に、その近傍に温度センサー▲２▼を設け、左右に分割された部分に電線接続部▲３▼を設け、電線接続部に接続された電線▲７▼は電源装置▲６▼に接続され、温度センサーは、熱電対▲８▼を介し、温度調節器▲５▼に接続され、電線接続部より後部は全体を覆うように、人間が握る事ができる筐体▲４▼を設けた構造で、電源装置より電線を介してコテ先部の先端部に電流が流れると接合部分で瞬時にコテ先の先端が発熱する。
発熱の温度は温度センサーで検出され、熱電対を介して温度調節器に入力され、温度調節器からの信号で電源装置の電圧を制御し先端部の温度を一定に保つことを特徴とする半田付け装置である。
【実施例】
【００１０】  以下、添付図面３を用いて一実施例を説明する。添付図面３は、添付図面２の構成の装置でワークＡ▲１▼とワークＢ▲２▼をクリーム半田▲３▼で半田付けする場合の実施例である。
本考案した直熱式半田付けの先端部▲４▼をクリーム半田に接触させ、電源装置より電力が供給されると先端部が瞬時に発熱しクリーム半田が溶解する。
【産業上の利用可能性】
【００１１】  半田付けは、電子機器には欠かせない部品の実装方法であるが、半田コテを用いて実装する場合、常時半田コテに通電し加熱状態を保つ必要が有った。そのため、半田付が行なわれていない場合でも電力を消費し続けていた。また、加熱の持続のためにコテ先が酸化し摩耗するため、定期的に交換する必要があった。
本考案の直熱式半田付け装置の場合、半田付けを行う瞬間のみ瞬間加熱しを行うため、常時通電する必要が無く、省エネルギーで利用でき、コテ先の交換も不要となるため産業上の利用可能性は非常に高い。
【符号の説明】
【００１２】
【図１】
0003167377.tif 000003
【図２】
0003167377.tif 000004
【図３】
0003167377.tif 000005
(57)【要約】      （修正有）【課題】カッターシャツ、ブラウスの襟に小さなホールを設けることにより、宝石、貴金属等で作られたアクセサリーを簡単に装着でき、襟元を引き締め、美的アクセントを与えることができるカッターシャツ、ブラウスの襟を提供する。【解決手段】カッターシャツ、ブラウスの襟２にバッチが取り付けられる程度の小さなホール３を設け、ネクタイピンのような、宝石、貴金属等で作ったアクセサリー、バッチ等を装着する。ホールの大きさは、ネジ式のバッチのネジが通る程度とし、あまり大きく成らない様にする。ホール３の周りは、目立たないように小さくかがるだけでもよく、またアクセサリーを装着しない時、ワンポイントアクセサリーに成るよう周りを刺繍６等で飾っても良い。【選択図】図３
0003167364.tif 000002
【実用新案登録請求の範囲】
【請求項１】
カッターシャツ、ブラウスの襟にアクセサリーを取り付ける為にホール「穴」を開けた襟。
【請求項２】
ホール「穴」の周囲をかがり刺繍により、装飾したアクセサリー取り付け用ホール「穴」
【考案の詳細な説明】
【技術分野】
【０００１】本考案は、シャツ、ブラウス等の襟にアクセサリーを取り付けるための小さなホールを設けアクセサリー等を取り付けやすくするものである。
【背景技術】
【０００２】現在は、夏季に於いて、省エネの発想によりクールビズが進み特に男性が、ネクタイを着用しない傾向にある。しかし、ネクタイを外すと、襟元が緩み、引き締まりに欠ける襟に使用できるアクセサリーとして、ネクタイピン、バッジ、ピアスなど身近に多くあるが、それらを取り付けるホール「穴」が付けられたシャツは無い。また、ピンバッジ、のように、先端が鋭く尖った針を直接差し込む方法だと危険であり、生地に金属の錆等が付着し、シャツ、ブラウス等が、台無しになる。
【考案の概要】
【考案が解決しようとする課題】
【０００３】本考案はネクタイを着用しないとき、カッターシャツ、ブラウスの襟元をおしゃれに引き締める為にアクセサリーを襟元に簡単に取りつけられる、小さなホール「穴」を開ける。
【課題を解決する為の手段】
【０００４】カッターシャツ、ブラウスの襟にバッチが取り付けられる程度の小さなホールを設け、ネクタイピンのような、宝石、貴金属等で作ったアクセサリー、バッチ等を装着する。
【考案の効果】
【０００５】従来、カッターシャツ、ブラウスを着用するときは、ネクタイを使用し襟元を引き締め華やかな個性を主張していたが、近年、省エネルギー対策として、クールビズの流行により、暑い時期には、ネクタイの着用をしない事が多くなった。
ネクタイの着用をしないことで、開放された首回りの、華やかなファッション性は欠け、襟周りの引き締まり及び個性が乏しくなった。
本件考案は、襟に小さなホールを設けることにより、宝石、貴金属等で作られたアクセサリーを襟に簡単に装着でき、襟元を引き締め、美的アクセントを与える。
尚、アクセサリーは、専用に作成されたもののほか、身近に多く所在している、ネクタイピン、ピアス、バッジ等幅広く利用できる。また、アクセサリーを装着しないときも、ホールの周りを刺繍等で飾りワンポイントアクセサリーとなる。
【図面の簡単な説明】
【０００６】
【図１】本考案の平面図である
【図２】本考案の実施例の平面図である。
【図３】本考案の平面拡大図である。
【図４】本考案の平面拡大図である。
【考案を実施する為の形態】
【０００７】以下、本考案の実施の形態について、図面を参照しながら説明する。
図３及び図４は本考案の、シャツの襟の部分に設けたアクセサリー取り付け用ホール３を示し図３は、ホール３の周りを、星型、トランプのマーク等の図案６で縁取ったもので、図４は、ホール自体を星型とか、トランプのマーク等の図案により、形成されたものを示す。
ホールの大きさは、ネジ式のバッチのネジが通る程度とし、あまり大きく成らない様にする。
ホール３の周りは、目立たないように小さくかがるだけでもよく、またアクセサリーを装着しない時、ワンポイントアクセサリーに成るよう周りを６の様な刺繍等で飾っても良い。
【符号の説明】
【０００７】１  台襟
２  外襟
３  アクセサリー取り付け用ホール
４  ボタン穴
５  ボタン
６  ホール周囲のかがり刺繍の実施例
７  装着されたアクセサリー
【図１】
0003167364.tif 000003
【図２】
0003167364.tif 000004
【図３】
0003167364.tif 000005
【図４】
0003167364.tif 000006
【手続補正書】
【提出日】平成23年2月8日(2011.2.8)
【手続補正１】
【補正対象書類名】実用新案登録請求の範囲
【補正対象項目名】全文
【補正方法】変更
【補正の内容】
【実用新案登録請求の範囲】
【請求項１】
カッターシャツ、ブラウスの襟にアクセサリーを取り付ける為にホール「穴」を開けたことを特徴とする襟。
【請求項２】
ホール「穴」の周囲をかがり刺繍により、装飾したアクセサリー取り付け用ホール「穴」を特徴とする請求項１記載の襟。
(57)【要約】      （修正有）【課題】特別な部材を要せずに製造でき、衛生的で持ちやすいフック付まな板を提供する。【解決手段】まな板の一側を２つの側辺２Ａ、２Ｂが先端で交わる方向に斜めに延びた山型形状とし、先端で交わる手前において２つの側辺がほぼ平行に延出する突出片３を延設し、この突出片を一方の斜辺側にフック状に湾曲させた平面形状からなり、フック状の湾曲箇所４の内周寸法は人間の指先が通過可能な大きさとする。【選択図】図１
0003167849.tif 000002
【実用新案登録請求の範囲】
【請求項１】
まな板の一側を２つの側辺が先端で交わる方向に斜めに延びた山型形状とし、先端で交わる手前において２つの側辺がほぼ平行に延出する突出片を延設し、この突出片を一方の斜辺側にフック状に湾曲させた平面形状からなり、上記フック状の湾曲箇所の内周寸法は人間の指先が通過可能な大きさとしたことを特徴とするまな板。
【考案の詳細な説明】
【技術分野】
【０００１】
この考案はキッチンで使用するためのまな板に関する。
【背景技術】
【０００２】
各種の食材が接触するまな板は使用後によく洗浄し、雑菌が繁殖しないように充分乾燥させることが望まれる。乾燥を促進するには洗浄したまな板を平面的に置くのではなく、まな板の端面を上下に向けた起立状態で保管することが肝要である。
【０００３】
この場合、一般的には壁面等にまな板を立てかけることが行われているが、ちょっとした外力により転倒のおそれがあったり、他の物品の邪魔になったりしがちなので、任意の箇所に起立状態で自立させる工夫が望まれており、自立のためのスタンドが提案されていた他、まな板にそれを吊り下げるための孔やフックを設けることが提案されていた（例えば、特許文献１）。
【先行技術文献】
【特許文献】
【０００４】
【特許文献１】実開平４−７３３３２号公報
【考案の概要】
【考案が解決しようとする課題】
【０００５】
前記の場合において、吊り下げるための孔をまな板に設けることは加工が容易である利点があるが、穴は内周において閉じているので洗浄にあたりスポンジが届きにくく、洗い残しの箇所が生じてそこから雑菌が生じるおそれがあった。また、穴の場合は吊り下げ具は棒体やフックとなる。この場合、吊り下げはこれらの吊り下げ具の端部から穴を外挿することにより行なう関係上、吊り下げ箇所は吊り下げ具を突設可能な壁面近くとなり、まな板の一面が壁面により阻まれて乾燥効率が悪化するおそれがあった。
【０００６】
一方、フックの場合は、まな板に別途フックを取り付ける工程が必要となって、製造コストが嵩む問題があった。
【課題を解決するための手段】
【０００７】
この考案は前記の問題点に鑑みて創作されたものであり、まな板の一側を２つの側辺が先端で交わる方向に斜めに延びた山型形状とし、先端で交わる手前において２つの側辺がほぼ平行に延出する突出片を延設し、この突出片を一方の斜辺側にフック状に湾曲させた平面形状からなり、上記フック状の湾曲箇所の内周寸法は人間の指先が通過可能な大きさとしたことを特徴とする。
【考案の効果】
【０００８】
以上の構成よりなるこの考案のまな板によれば、まな板自体から延出する突出片をもってフック状の湾曲箇所を構成しているので、この部分を吊り下げのためのフック部として利用することができ、特別な部材を要せずしてフック付きのまな板を製造することが可能となる。
【０００９】
この場合、フック状の湾曲箇所の内周寸法は人間の指先が通過可能な大きさとしているので、その外側の突出片をまな板を持つための持ち手として利用することが可能となる。その結果、まな板の食品との接触面に一切触らずにまな板を保持できるので、乾燥のためにまな板を吊り下げる際にまな板の食品との接触面に指先から雑菌が移ることが防止できる。また、まな板に食品を載せて食卓に運ぶ際にも便利である。
【００１０】
前記の場合、持ち手として機能する突出片は同時にフックとして機能するために湾曲しているが、手持ちに際してはこの湾曲内周に指先を引っ掛けることにより、より確実な保持が可能となるという相乗的な効果が奏されることとなる。
【００１１】
また、フック状の湾曲箇所の内周寸法は人間の指先が通過可能な大きさとしているので吊り戸棚に設けられたバーなどを利用してまな板を吊り下げことも可能となり、壁面から突設した吊り下げ具に限定されることがない。
【００１２】
一方、まな板の一側を２つの側辺が先端で交わる方向に斜めに延びた山型形状とし、この先にフック状の湾曲箇所が構成されるので、吊り下げた際に上端面は斜めに下降することとなり、水滴や埃が落下しやすく、これらが滞留することが防止される。
【図面の簡単な説明】
【００１３】
【図１】この考案のまな板の平面図。
【図２】同上、右側面図。
【図３】同上、吊り下げた状態の斜視図。
【図４】同上、手持ちした状態の平面図。
【図５】同上、手持ちした状態の平面図。
【考案を実施するための形態】
【００１４】
以下、この考案のまな板の具体的実施例を添付図面に基づいて説明する。このまな板はプラスチックにより一体成形されることにより得られるものであり、食品を載置するためのまな板部１とそこから延設される突出片３からなる。まな板部１はその一側を２つの側辺２Ａ、２Ｂが先端で交わる方向に斜めに延びた山型形状とし、先端で交わる手前において２つの側辺がほぼ平行に延出する突出片３を延設する。この突出片３を一方の斜辺２Ａ側にフック状に湾曲させ、上記フック状の湾曲箇所４の内周寸法は人間の指先が通過可能な大きさとする。
【００１５】
なお、この実施例においては食品を載置するためのまな板部１は矩形としているが、形状はこれに限られないことは勿論である。
【００１６】
以上の構成からなるこの考案のまな板は図３に示すように湾曲箇所４をもってバーＢに吊り下げたり、図４、５に示すように突出片３を持ち手として手持ちすることが可能となる。
【符号の説明】
【００１７】
１                まな板部
２Ａ              側片
２Ｂ              側片
３                突出片
４                湾曲箇所
【図１】
0003167849.tif 000003
【図２】
0003167849.tif 000004
【図３】
0003167849.tif 000005
【図４】
0003167849.tif 000006
【図５】
0003167849.tif 000007
(57)【要約】【課題】  従来の傘は風雨、または日光を避けるという単機能の道具であり、エンターテイメント性を望めるものではなかった。雨中や強い日差しの下の移動にはストレスが伴うので、ストレスを軽減できる傘を提供することに意義があると考えた。【解決手段】  傘の装飾に易、風水で知られる八卦の文様やパワーストーンを使用することにより、使用者の心理的負担を和らげ、気分の高揚感をもたらす。【選択図】図５
0003167896.tif 000002
【実用新案登録請求の範囲】
【請求項１】
護符的装飾が施され、宝飾部が着脱できる傘。
【請求項２】
八卦の文様を生地部分に施した請求項１の傘。
【請求項３】
宝石、鉱物を装飾に使用した請求項１の傘。
【請求項４】
持ち手の滑り止めに宝石、鉱物を使用した請求項１の傘。
【考案の詳細な説明】
【技術分野】
【０００１】  本考案は風雨や日差しを避ける傘に関する。
【背景技術】
【０００２】  従来の傘は風雨や日差しを避けるものである。大別して生地、骨組み、持ち手に別れ、骨組みを開くことによって生地を広げ、持ち手部分を手に持って使用する。
【考案の概要】
【考案が解決しようとする課題】
【０００３】  風雨や日差しを避けるという目的は、従来の傘でも達せられているが、風雨や強い日差しの下での移動は、人間にストレスをもたらすものである。また天気が崩れる低気圧の接近時は、体調を崩す人もいるなど、憂慮すべき状態であるといえる。【０００４】  本考案は、このような傘を使用する天候下の人間のストレスを緩和しようとするものである。
【課題を解決するための手段】
【０００５】  本考案は、上記目的を達成するために、傘にパワーストーンや風水など、使用者に心理的安心感を与える装飾を施すものである。
【考案の効果】
【０００６】  パワーストーンは愛好家の中で、身につけていると良いことが起きると信じられており、気持ちの安定、ストレスの軽減に役立つ。【０００７】  また易や風水も古来より吉凶を占う方法として親しまれてきた。その中の基本図像である八卦も、そのデザインを施した鏡が魔除けとして信じられるなど、信仰の対象となってきた。【０００８】  それらの装飾を傘に施すことにより、ストレスのかかる傘使用下の人間の精神を安定させることができると考える。
【図面の簡単な説明】
【０００９】
【図１】  開いた８本骨組み傘を上から見た図
【図２】  易、風水における八卦の文様図
【図３】  八卦の文様を８本骨組み傘に配置した図
【図４】  パワーストーンを傘の持ち手に配置した図
【図５】  本考案傘の全体図
【考案を実施するための形態】
【００１０】  以下、本考案の実施の形態を図１〜図５に基づいて説明する。
【００１１】  図１は８本骨組み傘を上方から見た図である。張られた生地は骨組みによって８分割されている。
【００１２】  図２は易、風水における八卦の文様図である。八卦は爻（こう）と呼ばれる長短２種類の記号の組み合わせでできた８種類の文様がある。八卦には先天八卦と後天八卦の２種類があるとされるが、諸説あるため、どちらを採用することも可とする。
【００１３】  図３は８種類の八卦の文様を８本骨組み傘の生地に放射状に配置し、上方から見た図である。風水などで邪気を払うとされる八卦鏡の特性を傘に反映するものである。
【００１４】  図４は傘の持ち手部分にパワーストーンを配置したものである。まず手で触れる部分に配置することにより、常にパワーストーンに触れられ、使用者の安心感を醸成することと、滑り止めの機能を目的としている。また先端部分をスクリュー式の着脱可能方式とし、その日の気分や、使用者と相性の良いとされるパワーストーンを好みで交換できるようになっている。
【００１５】  図５が以上を施した完成図である。
【符号の説明】
【００１６】１  傘の骨組み
２  傘の生地
３  パワーストーン（滑り止め・固定式）
４  パワーストーン（着脱式）
【図１】
0003167896.tif 000003
【図２】
0003167896.tif 000004
【図３】
0003167896.tif 000005
【図４】
0003167896.tif 000006
【図５】
0003167896.tif 000007
【手続補正書】
【提出日】平成23年3月11日(2011.3.11)
【手続補正１】
【補正対象書類名】実用新案登録請求の範囲
【補正対象項目名】全文
【補正方法】変更
【補正の内容】
【実用新案登録請求の範囲】
【請求項１】
持ち手の握る部分に宝石、鉱石、パワーストーンのいずれかを取り付けた傘。
【請求項２】
八卦の文様を傘の骨組みに張られた生地部分に施した請求項１の傘。
【請求項３】
持ち手部分の先端をスクリュー式で着脱可能とした請求項１の傘。
【請求項４】
持ち手部分に宝石・鉱石・パワーストーンのいずれかを埋め込んだ請求項１の傘。
(57)【要約】      （修正有）【課題】保冷剤もしくは、保温剤を、収納部に収納することができ、例えば、片麻痺などの身体障害のある方でも、収納部に保冷剤もしくは、保温剤を簡単に出し入れでき、首への装着も簡単になる。また、タオル地を使用し、汗を拭き取るためにも使用できるようにしたタオルを提供する。【解決手段】タオルの一端は輪にしてあり、他端を差し込むだけで装着できるようにする。差し込むほうのタオルは、汗を拭き取るためにも使用できる。【選択図】図２
0003167892.tif 000002
【実用新案登録請求の範囲】
【請求項１】
首にあてるためにまずタオル地を袋状にし、保冷剤もしくは保温剤を収納できるタオルであって、収納部はふたをつける。また、フックをにつけることで、保冷剤もしくは、保温剤の収納個数を変えることができる。タオルの一端は輪にしてあり、タオルの他端を輪に差し込むだけで装着できるようにしており、輪から延出した部分を、汗を拭き取るために使用できるようにしたことを特徴とした首巻タオル。
【考案の詳細な説明】
【技術分野】
【０００１】
本考案は、屋内外での作業において首に巻いて使用されるタオルに関するものである。
【背景技術】
【０００２】
屋内外での作業時に、冬季においては防寒のために、夏季においては汗を拭き取るためにタオルを巻いたりしている。保冷剤もしくは、保温剤を装着できるようにしたタオルがある。
【先行技術文献】
【特許文献】
【０００３】
【特許文献１】特開２０００−２３７０８９号公報
【特許文献２】実用新案登録第３１１８３６３号
【特許文献３】実用新案登録第３１２８３８２号
【考案の概要】
【考案が解決しようとする課題】
【０００４】
本考案は、保冷剤もしくは、保温剤を収納部に個数を変えて収納することができ、例えば片麻痺などの身体障害のある方でも、収納部に保冷剤もしくは、保温剤を簡単に出し入れでき、首への装着も簡単にしたい。また、タオル地を使用し、汗を拭き取るためにもタオルを使用できるように提供することを目的とするものである。
【課題を解決するための手段】
【０００５】
この課題を解決するために、本考案は、首にあてるためにまずタオル地を袋状にし、保冷冷剤もしくは保温剤を収納できるタオルであって、収納部はふたをつける。また、フックを間につけることで、保冷剤もしくは保温剤の収納個数を変えることができる。タオルの一端は輪にしてあり、タオルの他端を輪に差し込むだけで装着できるようにしており、輪から延出した部分を、汗を拭き取るために使用できるようにしたことを特徴としたタオル。
【考案の効果】
【０００６】
この構成により、だれでも簡単に収納部に出し入れでき、首への装着が可能になり、汗を拭き取るためにも使用できるタオルを提供できる。
【図面の簡単な説明】
【０００７】
【図１】図１は、保冷剤または保温剤を収納する状態の図である。
【図２】図２は、タオルを首に巻いた状態を示す図である。
【考案を実施するための形態】
【０００８】
以下、本考案の実施の形態としての実施例を図面に基づいて説明する。図１は、本考案による首巻タオルの斜視図、図２は、装着の一例を示す図である。首にあてるためにまずタオル地を袋状にし、保冷剤７もしくは保温剤を収納できるタオルであって、収納部１は、収納部内側フック６を間につけることで、保冷剤７もしくは保温剤の収納個数を変えることかでき、タオルの一端は、輪３にしてあり、タオルの他端、生地部４を輪３に差し込むだけで装着できるようにしており、輪３から延出した部分を汗を拭き取るために使用できる。また、収納部のふた２が縫着してあり、収納部のふたフック５を使用することで、保冷剤７もしくは保温剤が脱落しないようにしてある。
【０００９】
首巻タオルは、綿などの天然繊維でタオル地（パイル織物）やガーゼなどに仕上げた布地を使用するため、その吸水性により、汗を吸収して肌触りの良い心地よさを持続させられ、洗濯が安易な生地から成るので使用による汚れを洗濯で洗い落とし、常に衛生的な状態での装着を可能としている。
【符号の説明】
【００１０】
１  収納部
２  収納部のふた
３  輪
４  生地部
５  収納部ふたフック
６  収納部内側のフック
７  保冷剤
【図１】
0003167892.tif 000003
【図２】
0003167892.tif 000004
【手続補正書】
【提出日】平成22年11月8日(2010.11.8)
【手続補正１】
【補正対象書類名】実用新案登録請求の範囲
【補正対象項目名】全文
【補正方法】変更
【補正の内容】
【実用新案登録請求の範囲】
【請求項１】
保冷剤もしくは保温剤を収納できるようにしたタオルにおいて、タオルの一端は輪とし、他端を輪に差し込むことができるよう構成すると共に、中間部位に保冷剤もしくは保温剤が収納でき、収納内部を複数の内側フックにて区切ることができるように構成したことを特徴とする首巻タオル。
【手続補正書】
【提出日】平成22年12月27日(2010.12.27)
【手続補正１】
【補正対象書類名】実用新案登録請求の範囲
【補正対象項目名】全文
【補正方法】変更
【補正の内容】
【実用新案登録請求の範囲】
【請求項１】
保冷剤もしくは保温剤を収納できるようにしたタオルにおいて、タオルの一端は輪とし、他端を輪に差し込むことができるよう構成すると共に、収納部はタオル地を袋状にしてふたを縫着すると共に、収納部内側フックを間につけることで、保冷剤もしくは保温剤の収納個数を変えることができるように構成したことを特徴とする首巻タオル。
【手続補正書】
【提出日】平成23年3月9日(2011.3.9)
【手続補正１】
【補正対象書類名】実用新案登録請求の範囲
【補正対象項目名】全文
【補正方法】変更
【補正の内容】
【実用新案登録請求の範囲】
【請求項１】
保冷剤もしくは保温剤を収納できるように収納部を設けたタオルにおいて、タオルの一端は輪とし、他端を輪に差し込むことができるよう構成すると共に、当該収納部はタオル地を袋状にしてふたを縫着すると共に、収納部内側フックを間につけることで、保冷剤もしくは保温剤の収納個数を変えることができるように構成したことを特徴とする首巻タオル。
(57)【要約】      （修正有）【課題】靴を水洗いした後に遠心脱水機で、脱水を効率よく行うために靴を保持するための靴用遠心脱水保持具を提供する。【解決手段】伸縮可能な押さえ棒３と、該押さえ棒の両端に一対となって取り付け可能な２つの籠１を備え、該２つの籠は、それぞれ靴を収納し、伸縮可能な押さえ棒によって遠心脱水機の槽内に固定して靴用遠心脱水保持具を構成する。また、前記２つの籠は、それぞれその背面にＬ字アングル金属２が取り付けられており、伸縮可能な押さえ棒は、その両端にそれぞれ磁石が取り付けられており、前記２つの籠は、それぞれ前記金属を前記磁石に付けることにより、伸縮可能な押さえ棒の両端に取り付け可能とする。【選択図】図２
0003167894.tif 000002
【実用新案登録請求の範囲】
【請求項１】
靴を収納する籠にゴムを取り付けることで、収納した靴の脱落防止と靴底の面を遠心脱水機の内側に向けることが可能となる。籠の背面には金属を備え付け、先端に磁石の付いた伸縮可能な押さえ棒で、籠同士を遠心脱水機の槽内に固定し、脱水を行う。また、伸縮可能な押さえ棒の先端形状と籠の底面の形状を差込型、もしくは挿入型の形状に合わせることで、金属と磁石の吸着力を利用する方策の代用として使用することも出来る。伸縮可能な棒で押さえることで、内径の異なる遠心脱水機にも適合することができ、且つ籠を磁石で付ける構造で、遠心脱水機槽内に入れやすくすることが特徴である。
【請求項２】
籠は上面が開口した長方体を使用することで、遠心脱水機に固定した際に変心による遠心脱水機の偏りによる変動を防止する。
【考案の詳細な説明】
【技術分野】
【０００１】  本考案は、靴を水洗いした後に遠心脱水機で、脱水を効率よく行うために靴を保持するための靴保持具に関するものである。
【背景技術】
【０００２】  上履きやスニーカー等、布を使用した靴を水洗いした場合、乾燥させるために靴のつま先部分を上向きに傾斜させた状態で天日干ししたり、ドライヤーの熱風を長時間当てたりし、靴の乾燥に長時間、そして大きな手間を費やしていた。
そこで、遠心脱水機の槽内に保持板による脱水やカバーに入れて脱水するものが提案されていた。
【先行技術文献】
【特許文献】
【０００３】
【特許文献１】実開昭６４−５０７８７号公報
【特許文献２】実開平８−１２３４９１号公報
【特許文献３】実開平８−７８８８６号公報
【特許文献４】実開平１−１４５３９０号公報
【特許文献５】実開平２−４０３８８号公報
【考案の概要】
【考案が解決しようとする課題】
【０００４】  個々に遠心脱水槽に靴を入れて脱水を行うことは、靴表面及び靴の底の布部分まで十分脱水を行えず、且つ靴の重みでバランスが悪く、変心による異音や振動の発生原因にもなるものであった。
そこで、短時間での遠心脱水機の稼動で効率良く、且つ変心による異音や振動の発生原因を防止するための課題があった。
【課題を解決するための手段】
【０００５】  本考案は、靴を収納する籠にゴムを取り付け収納した靴の脱落防止を図り、その２つの籠を伸縮可能な棒で固定する。この棒の先端には磁石を設け、籠の底面に取り付けられた金属に張り付き棒を伸縮させて脱水槽に固定する。箱型の籠で靴を保持し伸縮可能な棒で固定することで、籠が脱水槽の湾曲面に当たり容易に遠心脱水機の対角線沿いに位置させることができ、重みの偏りによる遠心脱水機の変動を防止することができる。また、靴の表面を遠心脱水機の壁面に向くように収納籠で矯正ができることで問題点を解決している。
【考案の効果】
【０００６】  上述の様に、本考案は、籠の底面と靴底を合わせた状態で遠心脱水槽に入れ、磁石付きの伸縮可能なで棒を伸ばし、２つの籠を固定するため、容易に遠心脱水機に固定することが可能となり、且つ大きさの異なる遠心脱水機に適合することが出来る。また、靴底と籠の底を合わせた状態で収納することで、遠心力効果が十分発揮することができ、乾燥時間の短縮を図ることが出来る。
【図面の簡単な説明】
【０００７】
【図１】
【考案を実施するための形態】
【０００８】  靴を収納する籠は２個一対となり、形状と重さが同等のものを使用する。この籠にＬ字アングルの付いた金属を取り付ける。取り付け位置は、一対となる籠と籠が互いに、横幅の中心ライン上の同じ高さに取り付ける。靴を収納するための開口部には、伸縮可能なゴム紐を取り付け、靴の脱落防止を図る。
【実施例】
【０００９】  以下、添付図面に沿って一実例を説明する。１は耐久性のプラスチックもしくはステンレス等の適宜素材にて一体形成された籠本体、２は磁石を付けるため、及びその位置決めを行うためのＬ字アングル金属であり、その金属は磁石の形状に合わせた凹みを持たせた金属でも実施可能である。３は先端に磁石を付加した伸縮可能な押さえ棒で、遠心脱水機に籠を入れ、遠心脱水機の内径に合わせて伸縮させ、それぞれの籠を遠心脱水機の槽に固定するために使用する。また、伸縮可能な押さえ棒の先端形状と１の取り付け部の形状を差込型、もしくは挿入型の形状に合わせることで、金属と磁石の吸着力を利用する方策の代用として使用することも出来る。
【図１】
0003167894.tif 000003
【図２】
0003167894.tif 000004
【手続補正書】
【提出日】平成23年1月17日(2011.1.17)
【手続補正１】
【補正対象書類名】実用新案登録請求の範囲
【補正対象項目名】全文
【補正方法】変更
【補正の内容】
【実用新案登録請求の範囲】
【請求項１】
伸縮可能な押さえ棒と、該押さえ棒の両端に一対となって取り付け可能な２つの籠を備えており、該２つの籠は、それぞれ靴を収納し、伸縮可能な押さえ棒によって遠心脱水機の槽内に固定され、遠心脱水機により靴を脱水可能とする靴用遠心脱水保持具において、
前記２つの籠は、それぞれその背面に金属が取り付けられており、伸縮可能な押さえ棒は、その両端にそれぞれ磁石が取り付けられており、前記２つの籠は、それぞれ前記金属を前記磁石に付けることにより、伸縮可能な押さえ棒の両端に取り付け可能であることを特徴とする靴用遠心脱水保持具。
【請求項２】
伸縮可能な押さえ棒と、該押さえ棒の両端に一対となって取り付け可能な２つの籠を備えており、該２つの籠は、それぞれ靴を収納し、伸縮可能な押さえ棒によって遠心脱水機の槽内に固定され、遠心脱水機により靴を脱水可能とする靴用遠心脱水保持具において、
前記２つの籠の底面は、前記伸縮可能な押さえ棒の両端のそれぞれを差し込み又は挿入可能な形状であり、前記伸縮可能な押さえ棒の両端のそれぞれを差し込み又は挿入することにより、前記２つの籠が、それぞれ伸縮可能な押さえ棒の両端に取り付け可能であることを特徴とする靴用遠心脱水保持具。
【手続補正２】
【補正対象書類名】明細書
【補正対象項目名】０００１
【補正方法】変更
【補正の内容】
【０００１】
本考案は、靴を水洗いした後に遠心脱水機で、脱水を効率よく行うために靴を保持するための靴用遠心脱水保持具に関するものである。
【手続補正３】
【補正対象書類名】明細書
【補正対象項目名】０００７
【補正方法】変更
【補正の内容】
【０００７】
【図１】本考案の靴用遠心脱水保持具を遠心脱水機の槽内に固定した槽内の状態を上方から見た図である。
【図２】本考案の靴用遠心脱水保持具を遠心脱水機の槽内に固定した槽内の状態を側方から見た図である。
(57)【要約】      （修正有）【課題】カーペット、フローリングなど、多方面にわたり使用でき、簡易に粘着テープをはがせ、既存の粘着ロールを基本に加工出来る清掃用粘着ロールを提供する。【解決手段】スベリ止め引っ掛け穴１の上部の円形の穴に人差し指をスベリ止めとし、押さえ、スベリ止め引っ掛け穴１下部の逆三角形の先に親指をあて、つまむよう、１枚だけはがし、また極細針金２が、粘着テープが、フローリングなど、密着性の高い所でも、づれない様に、はくりしない様に、また、粘着テープの表面の一枚だけ切れ、はがれる様に、カッタナイフの役もそなえ、テープ２分の１の所で上下にわけて、しばり、針金のゆるみを防ぎ、また、粘着テープをスパイラル状に巻き、一端側から、他端側まで一枚物で、はがれる様にした。【選択図】図１
0003167893.tif 000002
【実用新案登録請求の範囲】
【請求項１】
粘着テープをローラ本体に対し、斜め方向にスパイラル状に巻き、一端側から、他端側まで続く、一枚物とし、めくられる１枚目の先端から１つ目の穴、２つ目の穴が有する。
【請求項２】
テープを２層上下に、わけ、１つ目の穴と、先端先の土台（ダンボール紙）の間に、極細の針金を、またがし、土台を貫通し、土台裏で、結びつけた清掃用粘着ロール。
【考案の詳細な説明】
【技術分野】
【０００１】本考案は清掃用粘着ロールのテープを、はがしやすくする為のものである。
【背景技術】
【０００２】従来、粘着ロールでは、表層の部分が広巾である為、はがす場所が、わかりにくく、また切りにくい。【０００３】わかりにくく、はがしにくい粘着テープの断面を簡易にめくる事
【課題を解決するための手段】
【０００４】粘着テープを６ｃｍ位の幅で、土台（ダンボール紙）に斜めに巻き、テープとテープの間は、完全に切断されており、めくれやすくし、粘着テープを、めくるさいの先端に、先端側から、逆三角形の穴と、その穴から２ｃｍ位いの所に、２つ目の穴を設ける事により、付着したゴミが、あっても、はがせる用すべり止めとし、人差し指と親指でつまむよう、一枚目だけをはがし、またテープのづれ、はくりを防ぎ、カッターナイフの約割のために、極細の針金を、１つ目の逆三角形の穴と、先端前方の数ミリはなれた土台の穴にテープをおさえ込むよう通し、土台下部で固定し、それをテープの２分の１の所で、２段、上下にわけ、固定した。
【考案の効果】
【０００５】既存の粘着ロールを基本に、加工でき、容易に汚れたテープをはがす事が出来る。
【考案を実施するための形態】
【０００６】以上の構成であるから、すばやく、めくる事が、出来、めくるテープは６ｃｍほどの、一枚物である為、容易にはがせ、容易にゴミとして、破棄出来る。
【図面の簡単な説明】
【０００７】
【図１】本考案に係る清掃用粘着ロールの斜視図である。
【図２】粘着ロールテープの模式図である。
【符号の説明】
【０００８】１．スベリ止め引っ掛け穴、２．針金、３  切断面
【図１】
0003167893.tif 000003
【図２】
0003167893.tif 000004
【手続補正書】
【提出日】平成23年1月26日(2011.1.26)
【手続補正１】
【補正対象書類名】実用新案登録請求の範囲
【補正対象項目名】全文
【補正方法】変更
【補正の内容】
【実用新案登録請求の範囲】
【請求項１】
粘着テープをローラ本体に対し斜め方向に、スパイラル状に巻き、一端側から他端側まで続く一枚物とした、清掃用粘着ロール。
【請求項２】
筒状のダンボール紙に、清掃用粘着ロールのテープの巻かれていない境目部分を、はがす、粘着ロールテープの先端と位置付け、清掃用粘着ロールのテープの巻かれている部分の先端の穴と先端の清掃用粘着ロールの巻かれていない筒状のダンボール紙とを、極細の針金で、またがし、片端の針金は、粘着ロールテープの先端の穴から、ダンボール紙を貫通し、またがしたもう方端は、境目のダンボール紙の方に貫通させ、筒状のダンボール紙の内側で固定したことを特徴とする請求項１記載の、清掃用粘着ロール。
(57)【要約】      （修正有）【課題】インテリアとしても使用できる額縁付絵馬を提供する。【解決手段】フレーム型形状である一層目、内部掲示物スペースを創出しえる形状である二層目、絵馬形状である三層目を順次重ねて接着する。【選択図】図１
0003167891.tif 000002
【実用新案登録請求の範囲】
【請求項１】
三枚接着構造の額縁なり仕様として、木材、ＭＤＦパネル、ＰＰ板、紙等で製造。
視覚インパクトから、インテリア汎用性をも拡げる、画期的な未来型絵馬である。
【考案の詳細な説明】
【技術分野】
【０００１】本考案は、旧来仕様の絵馬の意匠改良に関するものである。
【背景技術】
【０００２】社寺に奉納される絵馬は、片側面に社寺独自の時代画などが描かれ、反対側の裏面に参詣者が特別の願い事を書き記すのが普通であった。【０００３】インテリアとしての額縁は、気に入った書画や写真や証書等を掲出し、観賞するものとして広く社会生活に定着している。
【考案の概要】
【考案が解決しようとする課題】
【０００４】従来の絵馬の使用価値を、おおいに拡充しようとする点である。
【課題を解決するための手段】
【０００５】絵馬の片側面を額縁構造とする事により、利用方法を拡げる。
【考案の効果】
【０００６】額縁機能が絵馬の視覚イメージを格段に向上させ、インテリアとしても重宝となる。この新感覚絵馬の用途は、社寺や家庭の神棚奉納などを超えて拡がる可能性大である。
【図面の簡単な説明】
【０００７】
【図１】図１は、額縁付型絵馬の仕様構造を示した説明図である。
【図１】
0003167891.tif 000003
【図２】
0003167891.tif 000004
【図３】
0003167891.tif 000005
【図４】
0003167891.tif 000006
【手続補正書】
【提出日】平成22年12月6日(2010.12.6)
【手続補正１】
【補正対象書類名】実用新案登録請求の範囲
【補正対象項目名】全文
【補正方法】変更
【補正の内容】
【実用新案登録請求の範囲】
【請求項１】
三枚重ね接着構造方式を取り入れて生まれる額縁機能を付加して木材、ＭＤＦパネル、ＰＰ板、紙等で製造、内部に差し入れて掲示する図絵写真等の醸す視覚インパクトから現代的センス溢れるインテリア汎用性を拡げる額縁付型絵馬。
【手続補正２】
【補正対象書類名】明細書
【補正対象項目名】０００７
【補正方法】変更
【補正の内容】
【０００７】
【図１】図１は、額縁付型絵馬の仕様構造正面を示した説明図。
【図２】図２は、二層目部分となる内部掲示物スペース創出構造方式を開示する説明図。
【図３】図３は、裏面となる三層目部分の構造を示した説明図。
【図４】図４は、三層三枚重ね接着全体の側面開口差し入れ部分を示す説明図。
【手続補正書】
【提出日】平成23年2月24日(2011.2.24)
【手続補正１】
【補正対象書類名】実用新案登録請求の範囲
【補正対象項目名】全文
【補正方法】変更
【補正の内容】
【実用新案登録請求の範囲】
【請求項１】
フレーム型形状である一層目、内部掲示物スペースを創出しえる形状である二層目、絵馬形状である三層目を順次重ね接着し生じるスペース部分に図絵写真等を掲示できる額縁付型絵馬。